(57)【要約】【課題】  本発明は、幅員のある自動車道など広い範囲を必要な照度で照明する街路灯を少ない設置経費で実現し、省電力化できる、ねじ込み口金の照射方向調節機構付きＬＥＤ照明灯、及び同ＬＥＤ照明灯を用いた街路灯を提供しようとするものである。【解決手段】  基板上に複数個のＬＥＤを配置した発光面を、ねじ込み口金が具備された防塵防湿カバーで内包してなるＬＥＤ照明灯において、前記ねじ込み口金を照明器具に装着、固定した後、前記発光面からの光束を所定の照射方向に調節する照射方向調節機構を前記ねじ込み口金と基板との間に備えてなることを特徴とする照射方向調節機構付きＬＥＤ照明灯による。【選択図】  図２
2011096453.tif 000002
【特許請求の範囲】
【請求項１】
基板（１）上に複数個のＬＥＤ（２）を配置した発光面を、ねじ込み口金（４）が具備された防塵防湿カバー（３）に内包してなるＬＥＤ照明灯において、前記ねじ込み口金（４）を照明器具に装着、固定した後、前記発光面からの光束を所定の照射方向に調節する照射方向調節機構（５）を前記ねじ込み口金（４）と基板（１）との間に備えてなることを特徴とする照射方向調節機構付きＬＥＤ照明灯。
【請求項２】
照射方向調節機構（５）が、前記ねじ込み口金（４）をその外側端部に固着する円筒体の固定部（５ａ）と、前記固定部（５ａ）に回動可能に挿通される回動部（５ｂ）とからなり、前記回動部（５ｂ）が固定部（５ａ）に挿入される円筒体形状の回動軸部（５１）と、該回動軸部（５１）の先端に一体化して設けられ、前記複数個のＬＥＤ（２）を配置した基板（１）を装着する基板装着部（５２）と、回動軸部（５１）の後端にこれも一体化して設けられたフランジ（５３）とを有してなることを特徴とする請求項１に記載の照射方向調節機構付きＬＥＤ照明灯。
【請求項３】
前記回動部（５ｂ）の円筒体の回動軸部（５１）が固定部（５ａ）より長めに形成され、同回動軸部（５１）を固定部（５ａ）に挿入した際、固定部（５ａ）から突出する先端部に前記回動部（５ｂ）を回動軸心の周りに回動してＬＥＤ（２）の照射角度を調整後に前記回動部（５ｂ）と固定部（５ａ）とをロックするロックねじ（６）を螺着する雄ねじ部（５４）を備えてなることを特徴とする請求項１又は２に記載の照射方向調節機構付きＬＥＤ照明灯。
【請求項４】
前記回動部（５ｂ）のフランジ（５３）にボールプランジャ（５５）を設けるとともに、固定部（５ａ）の前記回動部（５ａ）のフランジ（５５）と当接する側の内壁を前記ボールプランジャ（５５）の高さに相当する深さ分を転削して内径を広げ、その内径を広げた部分（５７）に前記ボールプランジャ（５５）の頭部が当接するように回動部（５ｂ）が挿入されてなり、そして前記固定部（５ａ）の内径を広げた部分（５７）に配設された回り止めピン（５８）に前記ボールプランジャ（５５）が突き当たることによって前記回動部（５ｂ）の１回転以上の回動を抑止可能になるよう構成されてなることを特徴とする請求項１〜３のいずれか１項に記載の照射方向調節機構付きＬＥＤ照明灯。
【請求項５】
前記回動部（５ｂ）の円筒形状の回動軸の中空の軸心（５６）に前記ねじ込み口金（４）からＬＥＤ（２）に電源を供給する電線を挿通してなることを特徴とする請求項１〜４のいずれか１項に記載の照射方向調節機構付きＬＥＤ照明灯。
【請求項６】
前記回動部（５ｂ）に固着され、ＬＥＤ（２）を１列に配置した基板（１）を内包して保護する防塵防湿カバー（３）の上部が、ＬＥＤ（２）を配設した基板（１）を装着し、ＬＥＤ（２）からの発熱を外部に放射する放熱フィンを備えた金属体の放熱体（３ａ）であり、下部が透明カバー（３ｂ）であることを特徴とする請求項１〜５のいずれか１項に記載の照射方向調節機構付きＬＥＤ照明灯。
【請求項７】
前記複数個のＬＥＤ（２）それぞれが、照度を高め、かつ所定照射範囲にほぼ均等な照度を与えるためのレンズを備えてなることを特徴とする請求項１〜６のいずれか１項に記載の照射方向調節機構付きＬＥＤ照明灯。
【請求項８】
請求項１〜７に記載の照射方向調節機構付きＬＥＤ照明灯を用いた街路灯（１０）であって、支柱（１１）の上部に設けたフード（１２）内に、前記照射方向調節機構付きＬＥＤ照明灯のねじ込み口金を螺入して装着するソケット（１３）がその開口を水平方向若しくは水平からやや上方に向けて取り付けられてなることを特徴とする街路灯。
【請求項９】
請求項８に記載の街路灯が、前記ソケット（１３）に前記角度調節機構付きＬＥＤ照明灯を装着する際、該ＬＥＤ照明灯のロックねじ（６）とソケット（１３）との間に、環状のシリコンゴム（１４）を挟設して、防水効果を高めてなることを特徴とする街路灯。
【請求項１０】
前記ソケット（１３）に前記角度調節機構付きＬＥＤ照明灯を螺入、固着した後、該ＬＥＤ照明灯の防塵防湿カバー（３）を把持してＬＥＤの光束が所定の方向に向くよう回動して調節し、所定の方向に調節し終えた後に前記ロックねじ（６）を締め付けて回動部（５ｂ）を固定部（５ａ）にロックして、振動等によるゆるみを防止可能にしてなることを特徴とする請求項８又は９に記載の街路灯。
【発明の詳細な説明】
【技術分野】
【０００１】
本発明は、基板上に複数個のＬＥＤが配置された発光体をねじ込み口金が具備された防塵防湿カバーに内包してなるＬＥＤ照明灯において、前記ねじ込み口金を照明器具に装着、固定した後、前記発光面からの光束を所定の照射方向に調節可能にしてなるＬＥＤ照明灯、及び同ＬＥＤ照明灯を用いた街路灯に関する。
【背景技術】
【０００２】
ＬＥＤを発光体として使用した街路灯については、いくつかの発明が開示されている。
例えば特開２００４−２００１０２号公報には「複数個の白色発光ダイオードを配列して構成する白色発光ダイオード照明器具において、複数個の白色発光ダイオードが取り付けられた複数の平面プリント基板が、白色発光ダイオードが下面側に指向するように、しかも多方向に指向するように多角形状に配装された白光ダイオード屋外照明器具」が開示されていり、また特開２００８−２５８００７号公報には「照明器具支柱の上部に保持する街路灯であって、前記照明器具にレンズとと発光ダイオードが一体になった複数の照明ユニット下方向に指向するよう装着され、前記照明ユニットは角度調整手段により角度を変更でき、照明の配光を任意に変更できる街路灯」が開示されている。
これらの発明は、レンズで集光して照度を高めているＬＥＤでは、どうしても所定照度が得られる範囲が狭まってくることへ対応して、街路灯の照明範囲を広げようとした照明器具としての発明であり、従来の白熱電球や蛍光灯を用いた街路灯を更新するにあたっては、支柱の上部に取り付ける照明器具をすべて交換しなければならず、設置費用が嵩むことになる。
これに対して、白熱電球と同じようにねじ込み口金を備えたＬＥＤ照明灯であれば、防塵防湿カバーを交換するだけでよく、設置費用の節減が図れ、しかも街路灯の省電力化も実現できる。しかし、既に実用化されているＬＥＤ照明灯の多くは、中空円錐台形の外郭部材（管体）の大口径側に複数のＬＥＤを面配列した基板を設け、小口径側にねじ込み口金を備え、前記光源部の前方に透明なカバーを配したものであるため、住宅地内の道路などで小範囲を照らす街路灯ならばすぐにでも交換して使用できるが、幅員のある自動車道など広い範囲を必要な照度で照明する街路灯では、前記特許文献１や特許文献２の発明のような照明器具を用いて照明器具ごと交換する方法をとらざるを得ない現状にある。
【先行技術文献】
【特許文献】
【０００３】
【特許文献１】特開２００４−２００１０２号公報
【特許文献２】特開２００８−２５８００７号公報
【発明の概要】
【発明が解決しようとする課題】
【０００４】
本発明は、上記背景技術に鑑み、幅員のある自動車道など広い範囲を必要な照度で照明する街路灯を少ない設置経費で実現し、省電力化できる、ねじ込み口金の照射方向調節機構付きＬＥＤ照明灯、及び同ＬＥＤ照明灯を用いた街路灯を提供しようとするものである。
【課題を解決するための手段】
【０００５】
本発明者らは上記課題を下記の手段により解決した。
（１）基板上に複数個のＬＥＤを配置した発光面を、ねじ込み口金が具備された防塵防湿カバーで内包してなるＬＥＤ照明灯において、前記ねじ込み口金を照明器具に装着、固定した後、前記発光面からの光束を所定の照射方向に調節する照射方向調節機構を前記ねじ込み口金と基板との間に備えてなることを特徴とする照射方向調節機構付きＬＥＤ照明灯。
【０００６】
（２）照射方向調節機構が、前記ねじ込み口金をその外側端部に固着する円筒体の固定部と、前記固定部に回動可能に挿通される回動部とからなり、前記回動部が固定部に挿入される円筒体形状の回動軸部と、該回動軸部の先端に一体化して設けられ、前記複数個のＬＥＤを配置した基板を装着する基板装着部と、回動軸部の後端にこれも一体化して設けられたフランジとを有してなることを特徴とする前項（１）に記載の照射方向調節機構付きＬＥＤ照明灯。
【０００７】
（３）前記回動部の円筒体の回動軸部が固定部より長めに形成され、同回動軸を固定部に挿入した際、固定部から突出する先端部に前記回動部を回動軸心の周りに回動してＬＥＤの照射角度を調整後に前記回動部と固定部とをロックするロックねじを螺着する雄ねじ部を備えてなることを特徴とする前項（１）又は（２）に記載の照射方向調節機構付きＬＥＤ照明灯。
【０００８】
（４）前記回動部のフランジにボールプランジャを設けるとともに、固定部の前記回動部のフランジと当接する側の内壁を前記ボールプランジャの高さに相当する深さ分を転削して内径を広げ、その広げた部分に前記ボールプランジャの頭部が当接するように回動部が挿入されてなり、そして前記固定部の広げられた部分に配設された回り止めピンに前記ボールプランジャが突き当たることによって前記回動部の１回転以上の回動を抑止可能になるよう構成されてなることを特徴とする前項（１）〜（３）のいずれか１項に記載の照射方向調節機構付きＬＥＤ照明灯。
【０００９】
（５）前記回動部の円筒形状の回動軸中空の軸心に前記ねじ込み口金からＬＥＤに電源を供給する電線を挿通してなることを特徴とする前項（１）〜（４）のいずれか１項に記載の照射方向調節機構付きＬＥＤ照明灯。
【００１０】
（６）前記回動部に固着される防塵防湿カバーの上部が、ＬＥＤを配設した基板を装着し、ＬＥＤからの発熱を外部に放散させる放熱フィンを備えた金属体の放熱体であり、下部が透明カバーであることを特徴とする前項（１）〜（５）のいずれか１項に記載の照射方向調節機構付きＬＥＤ照明灯。
【００１１】
（７）前記複数個のＬＥＤそれぞれが、照度を高め、かつ所定照射範囲にほぼ均等な照度を与えるためのレンズを備えてなることを特徴とする前項（１）〜（６）のいずれか１項に記載の照射方向調節機構付きＬＥＤ照明灯。
【００１２】
（８）前項（１）〜（７）に記載の照射方向調節機構付きＬＥＤ照明灯を用いた街路灯であって、支柱の上部に設けたフード内に、前記照射方向調節機構付きＬＥＤ照明灯のねじ込み口金を螺入して装着するソケットがその開口を水平方向若しくは水平からやや上方に向けて取り付けられてなることを特徴とする街路灯。
【００１３】
（９）前項（８）に記載の街路灯が、前記ソケットに前記角度調節機構付きＬＥＤ照明灯を装着する際、該ＬＥＤ照明灯のロックねじとソケットとの間に、環状のシリコンゴムを挟設して、防水効果を高めてなることを特徴とする街路灯。
【００１４】
（１０）前記ソケットに前記角度調節機構付きＬＥＤ照明灯を螺入、固着した後、該ＬＥＤ照明灯の防塵防湿カバーを把持してＬＥＤの光束が所定の方向に向くよう回動して調節し、所定の方向に調節し終えた後に前記ロックねじを締め付けて回動部を固定部にロックして、振動等によるゆるみを防止可能にしてなることを特徴とする前項（８）又は（９）に記載の街路灯。
【発明の効果】
【００１５】
本発明の照射方向調節機構付きＬＥＤ照明灯及び同ＬＥＤ照明灯を用いた街路灯によって下記の効果が期待できる。
〈１〉本発明の照射方向調節機構付きＬＥＤ照明灯がねじ込み口金を備えているので、白熱電球等ねじ込み口金を持つランプを光源としてきた街路灯において、前記ランプを本発明の照射方向調節機構付きＬＥＤ照明灯と交換するだけでよく、設置費用の節減が図れるとともに街路灯の省電力化が実現できる。
【００１６】
〈２〉本発明の照射方向調節機構付きＬＥＤ照明灯が照射方向調節機構を有しているので、該ＬＥＤ照明灯を街路灯のねじ込みソケットに螺入して装着した後、ＬＥＤの光束を所定の方向（下方）に向けることができるので、前記ＬＥＤ照明灯を街路灯のねじ込みソケットの電極に確実強固に接触させることができ、前記ＬＥＤ照明灯への電源供給を確実、安定に行うことができる。
【００１７】
〈３〉前記照射方向調節機構の固定部と回動部とをロックするロックねじを備えているので、該ＬＥＤ照明灯を街路灯に装着し、ＬＥＤの照射方向を調整した後ロックねじを締め付けることによって前記固定部と回動部とが強固に接合され、振動等によるＬＥＤ照射方向の変化を防止することができる。
【００１８】
〈４〉前記回動部にボールプランジャが設けられ、固定部に回り止めピンが設けられているので、回動部の回動が１回転の範囲内に制限され、回動部の中空軸心部に装通された電線がよじれることなくＬＥＤの発光に必要な電力が安定して供給できる。
【００１９】
〈５〉前記固定部に回動部に固着されＬＥＤを内包して保護する防塵防湿カバーの上部が、放熱フィンを備えた金属体の放熱体でなるので、該放熱体に装着された基板上のＬＥＤの発熱を前記放熱体の放熱フィンを介して外部に放射してＬＥＤの温度上昇を抑制し、ＬＥＤの発光の安定化と長寿命化が図れる。
【００２０】
〈６〉前記複数個のＬＥＤそれぞれが、照度を高め、かつ所定照射範囲にほぼ均等な照度を与えるためのレンズを備えているので、街路灯に要求される照射範囲を必要な照度でほぼ均等に照明することができる。
【００２１】
〈７〉本発明の照射方向調節機構付きＬＥＤ照明灯を用いた街路灯が、支柱の上部に設けたフード内に、前記照射方向調節機構付きＬＥＤ照明灯のねじ込み口金を螺入して装着するソケットをその開口が水平方向若しくは水平からやや上方に向けて取り付けられているので、前記照射方向調節機構付きＬＥＤ照明灯を容易に装着でき、上記〈１〉〜〈６〉の効果を具備した街路灯が実現できる。
【００２２】
〈８〉前記街路灯が、前記ソケットに前記角度調節機構付きＬＥＤ照明灯を装着する際、該ＬＥＤ照明灯のロックねじとソケットとの間に、環状のシリコンゴムを挟設しているので、防水ソケット内へ雨滴や霧などの水分が侵入するのを防止し、防水効果を高めることができる。
【図面の簡単な説明】
【００２３】
【図１−１】本発明の照射方向調節機構付きＬＥＤ照明灯の一実施例の外観図
【図１−２】本発明の照射方向調節機構付きＬＥＤ照明灯の他の実施例の外観図
【図２】照射方向調節機構付きＬＥＤ照明灯の構造を示す断面図
【図３】照射方向調節機構の斜視図
【図４】照射方向調節機構付きＬＥＤ照明灯を装着した街路灯の構造図
【発明を実施するための形態】
【００２４】
本発明を実施するための形態を、実施例の図に基づいて説明する。
図１−１は本発明の照射方向調節機構付きＬＥＤ照明灯の一実施例の外観図、図１−２は本発明の照射方向調節機構付きＬＥＤ照明灯の他の実施例の外観図、図２は図１−１に示した照射方向調節機構付きＬＥＤ照明灯の構造を示す断面図、図３は照射方向調節機構の斜視図、図４は照射方向調節機構付きＬＥＤ照明灯を装着した街路灯の構造図である。
図において１、１’は基板、２はＬＥＤ、３、３’は防塵防湿カバー、３ａは放熱体、３ｂは透明カバー、４はねじ込み口金、５は照射方向調節機構、５ａは固定部、５ｂは回動部、５１は回動軸部、５２は基板装着部、５３はフランジ、５４は雄ねじ部、５５はボールプランジャ、５６は中空軸心部、５７は内径を広げた部分、５８は回り止めピン、６はロックねじであり、また１０は顔路頭、１１は支柱、１２はフード、１３はソケット、１４はシリコンゴムである。
【００２５】
本発明の照射方向調節機構付きＬＥＤ照明灯の一実施例の外観図を図１−１に、その構造を示す断面図を図２に、また他の実施例の外観図を図１−２に示した。
図１−１に示す本発明の照射方向調節機構付きＬＥＤ照明灯の実施例は（ｂ）の側面図に見られるように、基板１上に複数個のＬＥＤ２を１列に配置して発光面を形成し、該発光面を内包する防塵防湿カバー３の長手方向の一端にねじ込み口金４を設けたものであり、また、図１−２示す本発明の照射方向調節機構付きＬＥＤ照明灯の他の実施例は（ｂ）の底面図に見られるように、円板状の基板１’上に複数個のＬＥＤ２を同心円状に２列配置して発光面を形成し、該発光面を内包する防塵防湿カバー３’の円周部の一端にねじ込み口金４を設けたものである。そして、いずれも、前記照射方向調節機構付きＬＥＤ照明灯のねじ込み口金４を照明器具に螺入して装着した後、前記発光面からの光束を所定の照射方向に調節する照射方向調節機構５（図２参照）を前記ねじ込み口金４と基板１との間に備えている。
そしてまた、前記防塵防湿カバー３の上部が、防塵防湿カバー３内で発生する熱を外部に放散させる放熱フィンを備えた金属製の放熱体３ａでなり、下部が透明カバー３ｂで構成されており、前記放熱体３ａの下面にＬＥＤ２を配置した基板１を装着してＬＥＤ２からの発熱を外部に放散させ、ＬＥＤ２からの光束を前記透明カバーを通して下方に照射する構造としている。
また、前記ねじ込み口金４からＬＥＤに電力を供給する電線（図示せず）は、前記回動部５ｂの中空の軸心５６に挿通されている。
【００２６】
本発明の要点となる照射方向調節機構の構造を、図２の断面図で、また図３の斜視図で示した。
図２、図３にみられるように、前記照射方向調節機構５は、前記ねじ込み口金４をその外側端部に固着する円筒体の固定部５ａと、前記固定部５ａに回動可能に挿通される回動部５ｂとからなり、そして前記回動部５ｂは、固定部５ａに挿入される円筒体形状の回動軸部５１と、該回動軸部５１の先端に一体化して設けられ、前記複数個のＬＥＤ２を配置した基板１を装着する基板装着部５２と、回動軸部５１の後端にこれも一体化して設けられたフランジ５３とから形成されている。
そして、前記回動部５ｂの回動軸部５１が固定部５ａより長めに形成され、同回動軸部５１を固定部５ａに挿入した際、固定部５ａから突出する先端部に前記回動部５ｂを回動軸心の周りに回動してＬＥＤ２の照射方向を調整した後に前記回動部５ｂと固定部５ａとをロックするロックねじ６を螺着する雄ねじ部５４を備えている。
さらに、前記回動部５ｂのフランジ５３にボールプランジャ５５を突設するとともに、固定部５ａの前記回動部５ｂのフランジ５３が当接する側の内壁を前記ボールプランジャ５５の高さに相当する深さ分を転削して内径を広げ、前記ボールプランジャ５５と前記固定部５ａとが当接するようにして回動部５ｂの回動を容易にするとともに、さらに前記固定部５ａの内径を広げた部分５７に、前記回動部５ｂの１回転以上の回動を抑止する回り止めピン５８を突設している。
図３の斜視図は、照射方向調節機構５における固定部５ａ、回動部５ｂ、及びロックねじ６のそれぞれの形状と相互関係を明示するため、通常は図２のように水平方向に配置される前記照射方向調節機構５を上下（垂直方向）に配置して表示した。したがって、回り止めピン５８は内径を広げた部分５７の上部から垂設されように描かれているが、回り止めピン５８は図示のものに限られることなく、内径を広げた部分５７の壁面から水平に突出したものや、固定部５ｂの内壁を転削する際にその一部を削り残したものであってもよい。要は固定部５ａのフランジ５３に立設（図３に描かれた状態においての表現）されたボールプランジャ５５が突き当たることによって回動部５ｂが１回転以上回動するのを抑止し、回動部５ｂの中空軸心部５６に挿通された前記ねじ込み口金４からＬＥＤ２に電源を供給する電線（図示せず）のよじれを防止することができる形状のものであればよい。
【００２７】
また、前記複数個のＬＥＤ２それぞれには、照度を高め、かつ所定照射範囲にほぼ均等な照度を与えるためのレンズが備えられている。
【００２８】
照射方向調節機構付きＬＥＤ照明灯を用いた街路灯は、図４に示すように、支柱１１の上部に設けたフード１２内に、前記照射方向調節機構付きＬＥＤ照明灯のねじ込み口金４を螺入して装着するソケット１３がその開口を水平方向若しくは水平からやや上方に向けて取り付けられている。
そして前記ソケットに１３に前記照射方向調節機構付きＬＥＤ照明灯のねじ込み口金４を螺入して装着する際、該ＬＥＤ照明灯のロックねじ６とソケット１３との間に、環状のシリコンゴム１４を挟設して、防水効果を高めている。
【００２９】
前記照射方向調節機構付きＬＥＤ照明灯は、次の手順によって街路灯に装着される。
ア．街路灯のフード１２内に配設された前記ソケット１３に前記照射方向調節機構付きＬＥＤ照明灯のねじ込み口金４を螺入する。
イ．ねじ込み口金４の螺入が完全に行われたことを確認して固着した後、該ＬＥＤ照明灯の防塵防湿カバー３を把持して回動し、ＬＥＤ２の光束が所定の方向に向くよう調節する。
ウ．ＬＥＤ２の光束を所定の方向に調節し終えた後、前記ロックねじ６を締め付けて回動部５ｂを固定部５ａにロックして、振動等によるゆるみを防止する。
【００３０】
本発明の照射方向調節機構付きＬＥＤ照明灯の実施例として図１−１ではＬＥＤを１列に配置したもの、図１−２ではＬＥＤを同心円状に２列配置したものを示したが、他の形体のＬＥＤ配置の使用を妨げるものではなく、例えば２列に配置したり、楕円状に配列したりすることがあってよく、照明範囲が効率よく的確に照明できるＬＥＤ配置が選択されることが好ましい。
【符号の説明】
【００３１】
１、１’：基板
２：ＬＥＤ
３、３’：防塵防湿カバー
３ａ：放熱体
３ｂ：透明カバー
４：ねじ込み口金
５：照射方向調節機構
５ａ：固定部
５ｂ：回動部
５１：回動軸部
５２：基板装着部
５３：フランジ
５４：雄ねじ部
５５：ボールプランジャ
５６：中空軸心部
５７：内径を広げた部分
５８：回り止めピン
６：ロックねじ
１０：街路灯
１１：支柱
１２：フード
１３：ソケット
１４：シリコンゴム
【図１−１】
2011096453.tif 000003
【図１−２】
2011096453.tif 000004
【図２】
2011096453.tif 000005
【図３】
2011096453.tif 000006
【図４】
2011096453.tif 000007